(57)【特許請求の範囲】
【請求項１】
内部を空気が流れるケーシング（11）と、該ケーシング（11）の内部に設けられ、空気中の水分を吸着する２つの吸着素子（61,62）と、上記ケーシング（11）に設けられ、上記吸着素子（61,62）に供給される空気を加熱する加熱手段（45）とを備え、
上記第１吸着素子（61）で水分を吸着した空気を室内へ供給すると共に、上記加熱手段（45）で加熱した空気を第２吸着素子（62）に通過させて室外へ排出する第１動作と、
上記第２吸着素子（62）で水分を吸着した空気を室内へ供給すると共に、上記加熱手段（45）で加熱した空気を第１吸着素子（61）に通過させて室外へ排出する第２動作とを交互に切り換えて実行する除湿装置（10）を複数台有する調湿システムであって、
上記複数台の除湿装置（10a,10b,10c）のそれぞれの第１動作および第２動作を切り換える切換動作をそれぞれ異なった時間で実行する制御手段（80）と、該各除湿装置（10a,10b,10c）から室内へ供給する空気を集合する空気集合手段（90）とを備えている
ことを特徴とする調湿システム。
【請求項２】
請求項１において、
上記制御手段（80）は、各除湿装置（10a,10b,10c）の上記切換動作を、複数台の除湿装置（10a,10b,10c）が所定時間間隔を置いて順に実行する
ことを特徴とする調湿システム。
【発明の詳細な説明】
【技術分野】
【０００１】
本発明は、調湿システムに関し、特に、除湿装置から室内へ供給される空気の温度制御に係るものである。
【背景技術】
【０００２】
従来より、室内等を除湿する除湿装置が広く知られている。除湿装置として、２つの吸着素子を備え、各吸着素子で交互に空気を除湿するものがある。
【０００３】
特許文献１には、この種の除湿装置が開示されている。この除湿装置は、ケーシング内の空気通路に第１吸着素子と、第２吸着素子とが区画されて配置されている。吸着素子は、空気が流通可能な基材に水分を吸脱着する吸着剤が担持されている。また、ケーシング内には、各吸着素子の空気の上流側に空気を加熱するための凝縮器（加熱手段）が設けられている。
【０００４】
特許文献１に開示される除湿装置では、以下のような２つの動作が交互に行われる。まず第１動作では、第１吸着素子で空気中の水分が吸着され、空気が除湿される。除湿された空気は室内へ供給される。また、第１動作では、凝縮器で加熱された空気が第２吸着素子へ供給され、第２吸着素子が加熱される。その結果、第２吸着素子から空気中へ水分が放出され第２吸着素子の再生が行われる。第２吸着素子の再生に利用された空気は、室外へ排出される。一方、第２動作では、第２吸着素子で空気中の水分が吸着され、同時に第１吸着素子の再生が行われる。以上のように、この除湿装置では、第１動作と第２動作とを所定時間置きに切り換える、いわゆるバッチ運転を行うことで、各吸着素子の吸着性能（即ち、除湿性能）を低下させることなく、室内の空気を連続的に除湿できるようにしている。
【特許文献１】特開２００４−６０９５４号公報
【発明の開示】
【発明が解決しようとする課題】
【０００５】
上述したように、２つの動作を交互に行う除湿装置では、再生側の吸着素子から水分を放出させるために、加熱手段で加熱された空気を供給して吸着素子を昇温させている。このため、上記２つの動作（バッチ動作）の切り換え直後には、再生側から吸着側へ遷移した吸着素子が未だ比較的高温になっていることがある。その結果、バッチ動作の切り換え直後には、比較的高温の空気が室内へ供給されてしまうという問題が生じる。
【０００６】
この点について、図７を参照しながら詳細に説明する。同図において、Ｔａは、加熱手段で加熱された後の空気の温度（即ち、吸着素子の再生温度）の経時変化を示し、Ｔｂは、室内へ供給される空気（供給空気）の温度の経時変化を示し、各破線はバッチ動作の切り換え時点を示している。同図から明らかなように、吸着素子は６０℃前後まで加熱される。このため、再生側の吸着素子が次の動作で吸着側の吸着素子へ遷移すると、その切り換え直後には、吸着側の吸着素子が未だ約６０℃に近い温度となっている。従って、バッチ動作の切り換え直後には、供給空気の温度が最高温度（約４５℃）となり、その後、吸着側の吸着素子が徐々に冷やされて低下していく。そして、バッチ動作の終了間際には、供給空気の温度が最低温度（約３５℃）となる。その後、次のバッチ動作が行われると、供給空気の温度が再び最高温度となる。
【０００７】
以上のように、従来の除湿装置の各バッチ動作では、再生側の吸着素子に残存する熱の影響により室内へ供給される空気の温度が大きく変動してしまう。その結果、室内温度を一定に保つことができず、温度環境が損なわれてしまう。また、半導体工場のクリーンルームや食品工場等、比較的高い精度での温度制御（例えば±２℃）の要求が課せられる空間の除湿に、上記の除湿装置を適用することが考えられる。このような場合に供給空気の温度が大きく変動すると、所望とする温度制御を行うことができず、品質管理に多大な支障をもたらしてしまうという問題があった。
【０００８】
本発明は、斯かる点に鑑みてなされたものであり、除湿装置から室内へ供給される空気の温度変動を抑制することを目的とする。
【課題を解決するための手段】
【０００９】
内部を空気が流れるケーシング（11）と、該ケーシング（11）の内部に設けられ、空気中の水分を吸着する２つの吸着素子（61,62）と、上記ケーシング（11）に設けられ、上記吸着素子（61,62）に供給される空気を加熱する加熱手段（45）とを備え、上記第１吸着素子（61）で水分を吸着した空気を室内へ供給すると共に、上記加熱手段（45）で加熱した空気を第２吸着素子（62）に通過させて室外へ排出する第１動作と、上記第２吸着素子（62）で水分を吸着した空気を室内へ供給すると共に、上記加熱手段（45）で加熱した空気を第１吸着素子（61）に通過させて室外へ排出する第２動作とを交互に切り換えて実行する除湿装置（10a）を複数台有する調湿システムであって、上記複数台の除湿装置（10a,10b,10c）のそれぞれの第１動作および第２動作を切り換える切換動作をそれぞれ異なった時間で実行するように制御する制御手段（80）と、該各除湿装置（10a,10b,10c）から室内へ供給する空気を集合する空気集合手段（90）とを備えている。
【００１０】
上記第１の発明では、各除湿装置（10a,10b,10c）のそれぞれの第１動作を第２動作に切り換える切換動作、またはそれぞれの第２動作を第１動作へ切り換える切換動作を、各除湿装置（10a,10b,10c）が、それぞれ異なった時間で実行する。このため、各除湿装置（10a,10b,10c）から供給される空気の温度は、それぞれ異なった空気温度となる。次に、空気集合手段（90）は、上記各除湿装置（10a,10b,10c）から供給される空気を集めて混ぜ合わせる。これにより、空気集合手段（90）において空気温度は各除湿装置（10a,10b,10c）から供給される空気の平均温度になる。その後、空気集合手段（90）から、混ぜ合わせた空気を室内に供給する。
【００１１】
第２の発明は、上記第１の発明において、上記制御手段（80）は、各除湿装置（10a,10b,10c）の上記切換動作を、複数台の除湿装置（10a,10b,10c）が所定時間間隔を置いて順に実行するよう制御する。
【００１２】
上記第２の発明では、第１動作から第２動作、または第２動作から第１動作へ切り換える切換動作を、複数台の除湿装置（10a,10b,10c）が、所定時間間隔を置いて順に実行する。次に、空気集合手段（90）は、各除湿装置（10a,10b,10c）から供給される空気を集めて混ぜ合わせる。これにより、空気集合手段（90）において空気温度は各除湿装置（10a,10b,10c）から供給される空気の平均温度になる。その後、空気集合手段（90）から、混ぜ合わせた空気を室内に供給する。
【発明の効果】
【００１３】
上記第１の発明は、各除湿装置（10a,10b,10c）における切換動作（第１動作から第２動作、または第２動作から第１動作）を、それぞれ異なった時間で実行するようにした。このため、各除湿装置（10a,10b,10c）から供給される空気の温度は、それぞれに異なった空気温度となる。また、空気集合手段（90）を設けたため、各除湿装置（10a,10b,10c）から供給される空気を集めることができる。このため、各除湿装置（10a,10b,10c）から供給される、異なった温度の空気を空気集合手段（90）において混ぜ合わせることができる。つまり、空気集合手段（90）では、常に異なる温度の空気を混ぜ合わせることになるため、空気集合手段（90）における平均空気温度の変動は抑制される。これにより、混ぜ合わされて温度が平均化した空気を室内へ供給することができる。この結果、除湿装置（10a,10b,10c）から室内へ供給される空気の温度変動を抑制することができる。
【００１４】
上記第２の発明は、各除湿装置（10a,10b,10c）のそれぞれの切換動作を、複数台の除湿装置（10a,10b,10c）が、所定の時間の間隔を置いて順に実行するようにした。このため、各除湿装置（10a,10b,10c）から供給される空気は、時間間隔によって、それぞれが所定の温度差を持つことになる。つまり、空気集合手段（90）で混ぜ合わされる空気は、それぞれの温度関係が一定になるため、混ぜ合わされた空気の平均温度も一定になる。これにより、混ぜ合わされて温度が平均化した空気を室内へ供給することができる。この結果、除湿装置（10a,10b,10c）から室内へ供給される空気の温度変動を抑制することができる。
【発明を実施するための最良の形態】
【００１５】
以下、本発明の実施形態を図面に基づいて詳細に説明する。図１に示すように、本発明の調湿システム（1）は、半導体工場のクリーンルームや、食品工場内の室内の除湿を行うものである。
【００１６】
本実施形態に係る調湿システム（1）は、３台の除湿装置（10a,10b,10c）と、該除湿装置（10a,10b,10c）を制御する制御手段であるコントローラ（80）と、空気集合手段であるチャンバ（90）とで構成されている。
【００１７】
まず、各除湿装置（10a,10b,10c）について説明する。除湿装置は、第１除湿装置（10a）、第２除湿装置（10b）および第３除湿装置（10c）で構成されている。これら３つの除湿装置（10a,10b,10c）は、同様の構造である。
【００１８】
図２および３に示すように、実施形態に係る第１除湿装置（10a）は、ケーシング（11）を備えている。ケーシング（11）は、前後に縦長の直方体状に形成されている。ケーシング（11）には、前側に第１パネル部（12）が、後側に第２パネル部（13）が、下側に底板部（14）が、上側に天板部（15）がそれぞれ形成されている。また、ケーシング（11）には、幅方向の左側に第１側板部（16）が、幅方向の右側に第２側板部（17）がそれぞれ形成されている。そして、ケーシング（11）の内側には、空気が流れる空気通路が形成されている。
【００１９】
上記第１パネル部（12）には、左側寄りに第１吸入口（20）が形成され、右側寄りに排気口（21）が形成されている。第２パネル部（13）には、左側寄りに第２吸入口（22）が形成され、右側寄りに給気口（23）が形成されている。第１吸込口（20）、排気口（21）および第２吸込口（22）は、空気ダクト（図示省略）が連結されるダクト接続口を構成している。第１吸込口（20）、排気口（21）および第２吸込口（22）は、空気ダクトを介して室外空間と連通している。給気口（23）は、集合ダクト（93）が連結するダクト接続口を構成している。給気口（23）は、集合ダクト（93）を介して室内空間と連通している。
【００２０】
上記ケーシング（11）の内部には、第１仕切板（31）と第２仕切板（32）とが立設している。第１仕切板（31）および第２仕切板（32）は、第１パネル部（12）および第２パネル部（13）と平行な姿勢となっている。第１仕切板（31）は第１パネル部（12）寄りに位置し、第２仕切板（32）は第２パネル部（13）寄りに位置している。
【００２１】
第１パネル部（12）と第１仕切板（31）との間には、排気側仕切板（33）が立設しており、排気側仕切板（33）の左側に第１吸込通路（25）が、右側に排気通路（26）がそれぞれ区画されている。第１吸込通路（25）は上記第１吸込口（20）と連通し、排気通路（26）は上記排気口（21）と連通している。また、排気通路（26）には、排気ファン（41）が収容されている。排気ファン（41）は、遠心型の多翼ファン（いわゆるシロッコファン）で構成されている。
【００２２】
第２パネル部（13）と第２仕切板（32）との間には、給気側仕切板（34）が立設しており、給気側仕切板（34）の左側に第２吸込通路（27）が、右側に給気通路（28）がそれぞれ区画されている。第２吸込通路（27）は上記第２吸込口（22）と連通し、給気通路（28）は上記給気口（23）と連通している。また、給気通路（28）には、給気ファン（42）が収容されている。給気ファン（42）は、遠心型の多翼ファン（シロッコファン）で構成されている。
【００２３】
上記第２吸込通路（27）には、熱交換器（45）が収容されている。熱交換器（45）は、例えばプレート式の熱交換器で構成されている。熱交換器（45）には、流入管（46）および流出管（47）がケーシング（11）を貫通して接続されている（図３を参照）。熱交換器（45）へは、流入管（46）から温水が供給される。尚、この温水は、例えば工場等の他の熱源機器の廃熱を利用して生成される。そして、熱交換器（45）は、温水と空気とが熱交換して空気が加熱される。つまり、熱交換器（45）は、空気を加熱するための加熱手段を構成している。また、流入管（46）には、開閉弁として電磁弁（48）が設けられている。電磁弁（48）を閉鎖すると、熱交換器（45）への温水の供給が停止され、熱交換器（45）が実質的に停止状態となる。また、第２吸込通路（27）には、熱交換器（45）の下流側に枠体（49）が設置されている。枠体（49）は、熱交換器（45）に沿うような板状に形成され、第２吸込通路（27）を覆っている。そして、枠体（49）の中心部には、熱交換器（45）を通過した空気が流通可能な空気開口部が形成されている。尚、図２以外では、枠体（49）の図示を省略している。
【００２４】
第１仕切板（31）と第２仕切板（32）との間には、中央仕切板（35）が水平な姿勢で配置され、中央仕切板（35）の上側に第１吸着室（51）が、中央仕切板（35）の下側に第２吸着室（52）がそれぞれ区画されている。第１吸着室（51）には、第１吸着素子（61）が収容され、第２吸着室（52）には第２吸着素子（62）が収容されている。
【００２５】
上記各吸着素子（61,62）は、第１側板部（16）から第２側板部（17）に亘って左右に延びる縦長の直方体状形状をしている。第１吸着室（51）では、第１吸着素子（61）と第１仕切板（31）との間に排気側上部通路（53）が区画され、第１吸着素子（61）と第２仕切板（32）との間に給気側上部通路（54）が区画されている。第２吸着室（52）では、第２吸着素子（62）と第１仕切板（31）との間に排気側下部通路（55）が区画され、第２吸着素子（62）と第２仕切板（32）との間に給気側下部通路（56）が区画されている。
【００２６】
各吸着素子（61,62）は、その長手方向の中間位置で切り離される分割構造をしている。つまり、各吸着素子（61,62）は、左右に隣り合う２つの吸着エレメントで構成されている。吸着エレメントは、前後方向に空気が流通可能な基材部と、この基材部に担持される吸着剤によって構成されている。吸着エレメントの吸着剤としては、ゼオライト、シリカゲル、活性炭、親水性の官能基を有する有機高分子材料など、空気中の水分（水蒸気）を吸着できるものが用いられる。
【００２７】
上記第１仕切板（31）には、第１から第４までの排気側ダンパ（71〜74）が設けられている。各排気側ダンパ（71〜74）は、各吸着室（51,52）と、第１吸込通路（25）および排気通路（26）とを断続するための開閉式のダンパを構成している。第１仕切板（31）には、上部左側に第１排気側ダンパ（71）が、上部右側に第２排気側ダンパ（72）が、下部左側に第３排気側ダンパ（73）が、下部右側に第４排気側ダンパ（74）がそれぞれ貼り付けられている。第１排気側ダンパ（71）を開閉すると、第１吸込通路（25）と排気側上部通路（53）との間が断続される。第２排気側ダンパ（72）を開閉すると、排気通路（26）と排気側上部通路（53）との間が断続される。第３排気側ダンパ（73）を開閉すると、第１吸込通路（25）と排気側下部通路（55）との間が断続される。第４排気側ダンパ（74）を開閉すると、排気通路（26）と排気側下部通路（55）との間が断続される。
【００２８】
上記第２仕切板（32）には、第５から第８までの給気側ダンパ（75〜78）が設けられている。各給気側ダンパ（75〜78）は、各吸着室（51,52）と、第２吸込通路（27）および給気通路（28）とを断続するための開閉式のダンパを構成している。第２仕切板（32）には、上部左側に第１給気側ダンパ（75）が、上部右側に第２給気側ダンパ（76）が、下部左側に第３給気側ダンパ（77）が、下部右側に第４給気側ダンパ（78）がそれぞれ取り付けられている。第１給気側ダンパ（75）を開閉すると、第２吸込通路（27）と給気側上部通路（54）との間が断続される。第２給気側ダンパ（76）を開閉すると、給気通路（28）と給気側上部通路（54）との間が断続される。第３給気側ダンパ（77）を開閉すると、第２吸込通路（27）と給気側下部通路（56）との間が断続される。第４給気側ダンパ（78）を開閉すると、給気通路（28）と給気側下部通路（56）との間が断続される。
【００２９】
上記チャンバ（90）は、各除湿装置（10a,10b,10c）から室内に供給される空気を集合させるためのものである。チャンバ（90）は、内部が中空の矩形の箱状に形成され、その側面に３つのチャンバ吸入口（92）および１つのチャンバ給気口（91）が形成されている。
【００３０】
上記チャンバ吸入口（92）は、集合ダクト（93）が接続されるダクト接続口を構成している。各チャンバ吸入口（92,92,92）は、それぞれが各除湿装置（10a,10b,10c）の給気口（23）と集合ダクト（93）を介して接続されている。つまり、各除湿装置（10a,10b,10c）から吹き出された空気は、集合ダクト（93）を通過してチャンバ（90）内に集合する。そして、チャンバ（90）の内部において各除湿装置（10a,10b,10c）から吹き出された空気が混ぜ合わされる。
【００３１】
上記チャンバ給気口（91）は、空気ダクト（図示省略）が接続されるダクト接続口を構成している。チャンバ給気口（91）は、空気ダクトを介して室内空間と連通している。
【００３２】
上記コントローラ（80）は、排気ファン（41）および給気ファン（42）の発停、ダンパ（71〜78）の開閉、および電磁弁（48）の開閉を制御するためのものである。具体的に、コントローラ（80）は、各除湿装置（10a,10b,10c）に接続され、それぞれの排気ファン（41）や給気ファン（42）の起動および停止を制御する一方、各ダンパ（71〜78）を開閉することで、ケーシング（11）内の空気通路の空気流れを制御している。また、コントローラ（80）は各除湿装置（10a,10b,10c）のそれぞれの電磁弁（48）を開閉することで、熱交換器（45）の加熱動作のＯＮ／ＯＦＦを制御する。尚、熱交換器（45）の加熱動作をＯＮ／ＯＦＦする方法は、これに限られず、例えば熱交換器（45）へ温水を供給するためのポンプを停止させたり、流入管（46）を流れる温水を流出管（47）側へバイパスさせるように温水回路を切り換える方法等を採用することもできる。そして、上記コントローラ（80）は、３台の除湿装置（10a,10b,10c）のそれぞれのバッチ動作の切換動作を、３台の除湿装置（10a,10b,10c）が、所定時間（例えば１〜４分）の間隔を置いて順に実行するよう構成されている。
【００３３】
−運転動作−
本実施形態の調湿システム（1）の除湿運転について説明する。この調湿システム（1）における除湿装置（10a,10b,10c）では、排気ファン（41）および給気ファン（42）がそれぞれ運転状態となる。除湿運転では、第１空気（図４における黒塗りの矢印で表す空気、以下同様）としての室外空気（OA）が第１吸込口（20）よりケーシング（11）内に取り込まれ、第２空気（図４における白塗りの矢印で表す空気、以下同様）としての室外空気（OA）が第２吸入口（22）よりケーシング（11）内に取り込まれる。また、除湿運転では、各ダンパ（71〜78）の開閉状態を切り換えることで、以下に説明する第１動作（以下第１バッチ動作という。）と第２動作（以下第２バッチ動作という。）とが交互に行われる。尚、本実施形態の第１バッチ動作や第２バッチ動作では、電磁弁（48）が開放状態となり、熱交換器（45）で加熱運転が常時行われる。また、第１バッチ動作と第２バッチ動作との切り換えは、コントローラ（80）によって設定された時間（例えば５分毎）に行われる。また、除湿装置（10a,10b,10c）の運転動作を説明するための各図において、閉鎖状態のダンパにはハッチングを付加し、開放状態のダンパは白塗りで示すようにしている。
【００３４】
〈第１バッチ動作〉
図４に示すように、第１バッチ動作では、各除湿装置（10a,10b,10c）において、第２排気側ダンパ（72）、第３排気側ダンパ（73）、第１給気側ダンパ（75）および第４給気側ダンパ（78）が閉鎖状態となり、第１排気側ダンパ（71）、第４排気側ダンパ（74）、第２給気側ダンパ（76）および第３給気側ダンパ（77）が開放状態となる。
【００３５】
第１吸込口（20）から第１吸込通路（25）へ取り込まれた第１空気は、第１排気側ダンパ（71）より第１吸着室（51）へ流入する。第１吸着室（51）へ流入した空気は、第１吸着素子（61）を通過する。第１吸着素子（61）では、空気中に含まれる水分（水蒸気）が吸着剤に吸着される。その結果、第１吸着素子（61）では、このような吸着動作によって空気が除湿される。第１吸着素子（61）で除湿された空気は、第２給気側ダンパ（76）より給気通路（28）へ流出し、供給空気（SA）として室内へ吹き出される。
【００３６】
第２吸込口（22）から第２吸込通路（27）へ取り込まれた第２空気は、熱交換器（45）を通過する。熱交換器（45）では、温水と空気とが熱交換し、空気が約６０℃程度まで加熱される。熱交換器（45）で加熱された空気は、第３給気側ダンパ（77）より第２吸着室（52）へ流入する。第２吸着室（52）へ流入した空気は、第２吸着素子（62）を通過する。第２吸着素子（62）の吸着剤は、空気によって加熱される。その結果、第２吸着素子（62）では、このような再生動作によって吸着剤に吸着された水分が空気中へ放出される。第２吸着素子（62）の水分を奪った空気は、第４排気側ダンパ（74）より排気通路（26）へ流出し、排出空気（EA）として室外へ排出される。
【００３７】
〈第２バッチ動作〉
図５に示すように、第２バッチ動作では、各除湿装置（10a,10b,10c）において、第１排気側ダンパ（71）、第４排気側ダンパ（74）、第２給気側ダンパ（76）および第３給気側ダンパ（77）が閉鎖状態となり、第２排気側ダンパ（72）、第３排気側ダンパ（73）、第１給気側ダンパ（75）および第４給気側ダンパ（78）が開放状態となる。
【００３８】
第１吸込口（20）から第１吸込通路（25）へ取り込まれた第１空気は、第３排気側ダンパ（73）より第２吸着室（52）へ流入する。第２吸着室（52）へ流入した空気は、第２吸着素子（62）を通過する。第２吸着素子（62）では、空気中に含まれる水分（水蒸気）が吸着剤に吸着される。その結果、第２吸着素子（62）では、このような吸着動作によって空気が除湿される。第２吸着素子（62）で除湿された空気は、第４給気側ダンパ（78）より給気通路（28）へ流出し、供給空気（SA）として室内へ吹き出される。
【００３９】
第２吸込口（22）から第２吸込通路（27）へ取り込まれた第２空気は、熱交換器（45）を通過する。熱交換器（45）では、温水と空気とが熱交換し、空気が約６０℃程度まで加熱される。熱交換器（45）で加熱された空気は、第１給気側ダンパ（75）より第１吸着室（51）へ流入する。第１吸着室（51）へ流入した空気は、第１吸着素子（61）を通過する。第１吸着素子（61）の吸着剤は、空気によって加熱される。その結果、第１吸着素子（61）では、このような再生動作によって接着剤に吸着された水分が空気中へ放出される。第１吸着素子（61）の水分を奪った空気は、第２排気側ダンパ（72）より排気通路（26）へ流出し、排出空気（EA）として室外へ排出される。
【００４０】
本実施形態の除湿装置（10a,10b,10c）では、上記第１バッチ動作と第２バッチ動作とを交互に行うことで、各吸着素子（61,62）の吸着剤で水分が飽和する（吸着過多になる）ことなく、連続的に室内を除湿することができる。ところが、このように第１バッチ動作と第２バッチ動作を切り換えると、各バッチ動作の切り換え直後には、再生側から吸着側へ遷移した吸着素子（61,62）が未だ比較的高温となっていることがある。その結果、各バッチ動作の切り換え直後において、比較的高温の空気が供給空気（SA）として室内へ供給されてしまう。
【００４１】
具体的には、除湿運転において、例えば第１バッチ動作から第２バッチ動作へ切り換えられると、第１バッチ動作の終了直後には、第１バッチ動作で再生側となる第２吸着素子（62）が約６０℃まで昇温されている。このような状態で、次の第２バッチ動作が行われると、吸着側に遷移する第２吸着素子（62）が未だ高温となっており、この高温状態の第２吸着素子（62）を通過した空気が室内へ供給されてしまう。その結果、第２バッチ動作の直後には供給空気（SA）の温度が比較的高温になり、その後に第２バッチ動作を継続するに連れて第２吸着素子（62）が冷却されて、供給空気（SA）の温度が低くなっていく。
【００４２】
以上のように、各除湿装置（10a,10b,10c）における除湿運転では、各バッチ動作の開始直後に供給空気（SA）が最高気温となり、バッチ動作を継続するに連れて供給空気（SA）が低くなっていく。このため除湿運転では、供給空気（SA）の温度変動が大きくなり、室内の温度を一定に保つことができなくなる。
【００４３】
そこで、本実施形態の調湿システム（1）では、各除湿装置（10a,10b,10c）での第１バッチ動作と第２バッチ動作との切り換え時間を、それぞれが所定時間間隔を置いて実行すると共に、各除湿装置（10a,10b,10c）から供給される供給空気（SA）をチャンバ（90）で集めて混ぜ合わせることで、室内に供給される空気の温度変動を抑えるようにしている。
【００４４】
具体的には、図６に示すように、第１〜３の除湿装置（10a,10b,10c）のうち、最初に第１除湿装置（10a）でバッチ動作の切換動作を実行する。このとき、第１除湿装置（10a）からチャンバ（90）内へ供給される空気の温度は、バッチ動作を切り換えた直後が最も高くなる一方、時間の経過に伴って徐々に低い温度になる（図６にＴ１で示す）。次に、上記第１除湿装置（10a）の切換動作から所定の時間（例えば１分〜４分程度）を置いて第２除湿装置（10b）でバッチ動作の切換動作を実行する。そうすると、第２除湿装置（10b）からチャンバ（90）内へ供給される空気の温度は、バッチ動作を切り換えた直後が最も高くなる一方、時間の経過に伴って徐々に低い温度になる（図６にＴ２で示す）。そして、上記第２除湿装置（10b）の切換動作から所定の時間（例えば１分〜４分程度）を置いて第３除湿装置（10c）で動作の切換動作を実行する。そうすると、第３除湿装置（10c）からチャンバ（90）内へ供給される空気の温度は、バッチ動作を切り換えた直後が最も高くなる一方、時間の経過に伴って徐々に低い温度になる（図６にＴ３で示す）。このため、各除湿装置（10a,10b,10c）から同時にチャンバ（90）へ供給される空気は所定の温度差を持つことになる。そして、供給された空気はチャンバ（90）内で混ぜ合わされて、空気の温度が平均化される（図６にＴａｖｅで示す）。その後、チャンバ（90）内の空気は室内へ供給される。
【００４５】
−実施形態の効果−
上記本実施形態は、３台の除湿装置（10a,10b,10c）のそれぞれのバッチ動作の切換動作を、３台の除湿装置（10a,10b,10c）が、所定時間（例えば１〜４分）の間隔を置いて順に実行するようにした。このため、各除湿装置（10a,10b,10c）から同時にチャンバ（90）へ供給される空気は所定の温度差を持つことになる。つまり、各除湿装置（10a,10b,10c）からチャンバ（90）へ供給されるそれぞれの空気の温度関係が一定になるため、チャンバ（90）で混ぜ合わされた空気の平均温度も一定になる。これにより、混ぜ合わされて温度が平均化した空気を室内へ供給することができる。この結果、除湿装置（10a,10b,10c）から室内へ供給される空気の温度変動を抑制することができる。
【００４６】
〈その他の実施形態〉
本発明は、上記実施形態について、以下のような構成としてもよい。
【００４７】
本実施形態は３台の除湿装置（10a,10b,10c）について本発明を適用したが、本発明は２台、または３台より多い複数の除湿装置についても適用することができる。
【００４８】
尚、以上の実施形態は、本質的に好ましい例示であって、本発明、その適用物、あるいはその用途の範囲を制限することを意図するものではない。
【産業上の利用可能性】
【００４９】
以上説明したように、本発明は、除湿装置から室内へ供給される空気の温度変動の抑制手段について有用である。
【図面の簡単な説明】
【００５０】
【図１】本実施形態に係る除湿システムを示す概略断面図である。
【図２】本実施形態に係る除湿装置を示す概略斜視図である。
【図３】本実施形態に係る除湿装置を示す概略断面図である。
【図４】本実施形態に係る除湿システムの第１バッチ動作を示す概略断面図である。
【図５】本実施形態に係る除湿システムの第２バッチ動作を示す概略断面図である。
【図６】本実施形態に係る時間と供給空気温度との関係を示す図である。
【図７】従来技術に係る時間と再生温度および供給空気温度との関係を示す図である。
【符号の説明】
【００５１】
１０ａ        第１除湿装置
１０ｂ        第２除湿装置
１０ｃ        第３除湿装置
１１          ケーシング
４５          熱交換器
６１          第１吸着素子
６２          第２吸着素子
８０          コントローラ
９０          チャンバ
【図１】
0005120045.tif 000002
【図２】
0005120045.tif 000003
【図３】
0005120045.tif 000004
【図４】
0005120045.tif 000005
【図５】
0005120045.tif 000006
【図６】
0005120045.tif 000007
【図７】
0005120045.tif 000008